(57)【要約】【課題】身体に対する違和感を無くし、膝に痛みを与えることなく、膝上で安定して使用でき、かつ、携帯し易く、さらに筆記具として用いる以外に他にテーブルとして有効に利用することのできるラップトップ型の筆記用ボードを提供する。【解決手段】車椅子２１に乗った車椅子使用者２２が膝上に載置し得る大きさで表側４が書き消し自在のマーカー２４で書き消し繰り返しできる硬質の滑面体であるボード２からなり、このボードの裏側１３の全面に、中に発泡プラスチックビーズなどの緩衝材１０を収容して載置した膝２３の形状に倣って形状変化する袋体８を具備しているラップトップ型の筆記用ボード１。【選択図】        図５
2004167759.tif 000002
【特許請求の範囲】
【請求項１】
車椅子に乗った使用者が膝上に載置し得る大きさで、表側が書き消し自在のマーカーで繰り返し書き消しできる硬質の滑面体を有するボードからなり、該ボードの裏側全面に中に緩衝材を有し、かつ、載置した膝形状に倣って形状変化する袋体を具備してなることを特徴とするラップトップ型の筆記用ボード。
【請求項２】
ボードは裏面側上端部に手で握る把手を有することを特徴とする請求項１記載のラップトップ型の筆記用ボード。
【請求項３】
緩衝材は発泡プラスチックビーズの粒状体からなることを特徴とする請求項１または２に記載のラップトップ型の筆記用ボード。
【発明の詳細な説明】
【０００１】
【発明の属する技術分野】
加齢やその他の原因で難聴になった高齢者や肢体不自由者が日常生活において、口頭による意思伝達の代わりに車椅子上で使用するラップトップ型の意思伝達用の筆記用ボードに関する。
【０００２】
【従来の技術】
従来、黒板やその他の筆記した文字を容易に拭き消しでき、再び筆記することのできるホワイトボードなどの筆記用ボード、すなわち筆記板は、通常は壁に取り付け、または立て掛け固定して、大勢の人に必要な伝達事項を広く伝えたり、あるいは、何度も消しさりながら新たに書くことで一つの筆記板に多数の事項を順次書くために使用され、教育用や公共施設の掲示用などとして使用されるものである。一方、このような学校などで使用する黒板などに比して小型の自在に移動し得る黒板やホワイトボードなどの筆記用ボードが家庭用に使用されている。
【０００３】
ところで、高齢者の比率が高まって日常生活を車椅子を利用して過ごす老齢者が多くなり、さらに、このような老齢者の生活を支援する老人ホームなどの介護施設が増加し、これらの施設に入居して車椅子で生活する人達が増加している。これらの車椅子で生活する高齢者の人達のうち、加齢やその他の原因で難聴になった人は介護者との意思疎通が不自由であり、介護者が一々口頭でしゃべっても聞き取りできないので、紙に文字を書いて意思を伝えている。しかし、このような紙を使用する文字伝達方法では、一度使用した紙は再使用できず、廃棄され、そのため使用に費用がかかる問題があり、さらに、使用した紙をその都度、捨てるために紙屑入れまで車椅子で移動しなければならない問題がある。
【０００４】
そこで、消しては繰り返し書くことのできるいわゆるホワイトボードなどの小型の携帯用の筆記用ボードであれば、車椅子の上でも膝に載せていわゆるラップトップとして容易に使用できる。さらに、フェルトペンなどのホワイトボードマーカーにより字を書くホワイトボードなどは、黒板に白墨で書くものと異なり、筆記用材が微粉末となって周囲の雰囲気中に飛散することがなく高齢者の生活環境を汚染することもない。そこでこの出願の発明では、このホワイトボードなどを採用するものであるが、ホワイトボードなどの板面が車椅子を利用している人の膝に当たって違和感を覚え痛みを感じ、膝上で不安定である。
【０００５】
【発明が解決しようとする課題】
この出願の発明が解決しようとする課題は、上記のような身体に対する違和感を無くし、膝に痛みを与えることなく、膝上で安定して使用でき、かつ、携帯し易く、さらに筆記具として用いる以外に他に有効に利用することの出来るホワイトボードなどの筆記用ボードを提供することである。
【０００６】
【課題を解決するための手段】
上記の課題を解決するための本発明の手段は、請求項１の発明では、車椅子に乗った使用者が膝上に載置し得る大きさで、表側が書き消し自在のマーカーで繰り返し書き消しできる硬質の滑面体を有するボードからなり、該ボードの裏側全面に中に緩衝材を有し、かつ、載置した膝形状に倣って形状変化する袋体を具備してなることを特徴とするラップトップ型の筆記用ボードである。
【０００７】
請求項２の発明では、ボードは裏面側上端部に手で握る把手を有することを特徴とする請求項１の手段のラップトップ型の筆記用ボードである。
【０００８】
請求項３の発明では、緩衝材は発泡プラスチックビーズの粒状体からなることを特徴とする請求項１または２の手段のラップトップ型の筆記用ボードである。
【０００９】
なお、請求項１または２の手段に係る発明において、緩衝材は発泡プラスチックビーズの粒状体に限らず、粘弾性高分子材料からなるものとすることもできる。
【００１０】
【発明の実施の形態】
本発明の実施の形態を図面を参照して説明する。図１は筆記用ボードの実施の形態を分解して示す図で、（ａ）、（ｂ）、（ｃ）は製作手順を示す図である。図２は筆記用ボードのボードと袋体の取付け構造を示す部分断面図である。図３は把手を筆記用ボードに取付ける構造を示す図で、（ａ）、（ｂ）は製作手順を示す図である。図４は筆記用ボードの別の実施の形態を示す図である。図５は車椅子での筆記用ボードの使用状態を示す模式図である。
【００１１】
本発明における筆記用ボードの１実施の形態は、図３の（ｂ）に示すものであり、その大きさは図５に見られるように、車椅子使用者２２の膝２３の上方の大腿部上に載置される大きさである。
【００１２】
図１の（ａ）に分解して示すとおり、筆記用ボード１は表側４がマーカーなどで文字の書き消しできる硬質の滑面体でかつ白色または淡色からなるボード２と、緩衝材１０である発泡プラスチックビーズ、例えば発泡ポリスチレンビーズ、をほぼ７分目装入した布地からなる袋体８とからなる。ボード２は通常ホワイトボードとして市販されている素材のものと同様でよいが、その四隅のボードコーナー３は角張っていると老齢者の身体に角が当たると痛みを与えるので丸く面取りしてアールを設けている。さらに、ボード２の周囲を押さえるための枠５も枠コーナー６は丸みを持たせてアールを設けている。図１の（ｂ）に示すように発泡プラスチックビーズを装入した袋体上端部９はボード２の裏側１３に適宜手段、例えば、接着により係止すると、枠５を矢印１１のように拡大して枠継目７の部分を拡げ、さらに図１の（ｃ）に示すようにこの袋体上端部９とボード２の周囲に枠５を嵌合して押さえ保護する。図２に袋体上端部９とボード２の周囲に枠５を嵌合して押さえた状態を拡大して示す。図３の（ａ）に示すように枠５の枠継目７は、同図の（ｂ）に示すように薄い硬質のシール１０でカバーして隠されている。
【００１３】
ボード２の表側４の色はホワイトボードと同様に白色であってもかまわないが、老齢になってくると視力も衰えてくるので、できるだけコントラストの強い白色はさけ、明色の淡い色の、例えば淡い草色や、空色、黄色あるいはピンクのものなどとする。
【００１４】
緩衝材１０は安定してボード２を膝上に安定して確保するための材料であり、できるだけ軽量で、両膝上で形成される溝状の形状に容易に倣うように袋体８の中で流動できるもので、耐久性のある粒状の材料でクッション性を示すものであればよい。このような材料として発泡プラスチックビーズ、例えば発泡ポリスチレンビーズは相応しいが、枕やクッションの素材として使用される粒状物でもよい。ところで、緩衝材１０は粒状物に限るものでなく、いわゆるヴィスコエラスティックフォーム（商品名テンピュール）などの粘弾性高分子材料の発泡体でも膝上の形状に容易に倣うもので、安定性を付与するものであればよい。
【００１５】
さらに他の発明の実施の形態では、筆記用ボード１は、手で持ち運びし易いように把手１４をボード２の裏側１３の上端部に設ける。図３の（ａ）に示すように把手１４は手の指を通すことのできる枠体からなりビス孔１６にビスを通してボード２の裏側１３の上端部に取り付けられるもので、その取付け部は補強板１５で補強し、図３の（ｂ）に示すように取り付けられている。
【００１６】
さらに、図１に示す筆記用ボード１の製造においては、緩衝材１０を入れた袋体８はボード２の裏側１３に当接する部分は開放されており、ボード２で閉じられているが、他の実施の形態では、袋体８はボード２の裏側１３に当接する部分もクッションのように閉じられているもので、図４に示すように、この閉じられた袋体８にボード２が接着剤などで取り付けられている。
【００１７】
図５に本発明に係る筆記用ボード１の使用状態を示す。高齢者で難聴である車椅子使用者２２は、日常生活で車椅子２１に乗っている場合、膝２３の上に袋体８を下にし、かつ筆記用のボード２を上にして座っている。高齢である車椅子使用者２２に介護者は世話をするため話しかける代わりに、車椅子使用者２２の膝上のラップトップ型の筆記用ボード１にマーカー２４で用務を書いて筆談する。この場合、高齢者も適宜、口頭でしゃべってもよく、また図に示すように文字を書いて示すことができる。特に、同じように介護施設などで高齢者で難聴である車椅子使用者２２の仲間に話しかける場合に、お互いに筆記用ボード１に書くことで筆談することができる。
【００１８】
なお、このラップトップ型の筆記用ボード１は、袋体８の緩衝材１０により膝上になじみよくかつ安定するので、単に筆談用に使用するのみでなく、テーブルの代わりとすることができ各種の作業台となり、さらに茶碗を載せることもできるなど日常の生活をこの上で十分に行いうるものである。もちろん、筆記用ボード１として使用する場合、この筆記用ボード１は把手１４で手に持つこともできるが、車椅子２１の適宜箇所にぶら下げておくものとし、筆記用のマーカー２４や字消しなども適宜車椅子のサイドに収納用の入れ物をぶら下げておくものとすればよい。
【００１９】
【発明の効果】
以上に説明したように、この発明は、裏側に身体にそい易い形状に変形し得る緩衝材を入れた袋体を一体に設けてラップトップ型の筆記用ボードとしているので、高齢でかつ難聴の車椅子使用者が車椅子に乗って日常生活をおくる場合に、膝上に載せて安定して使用でき、さらに把手を有することで持ち運びも容易であり、また、袋体に入れた緩衝材は特に身体の形状になじみの良好な発泡プラスチックビーズの粒状体としたので、より一層に安定して字を書くことができ、また、テーブルとして使用できるなど優れた効果を奏するものである。
【図面の簡単な説明】
【図１】筆記用ボードの実施の形態を示す図で、（ａ）、（ｂ）、（ｃ）は製作手順を示す図である。
【図２】筆記用ボードのボードと袋体の取付け構造を示す部分断面図である。
【図３】把手を筆記用ボードに取付け構造を示す図で、（ａ）、（ｂ）は製作手順を示す図である。
【図４】筆記用ボードの別の実施の形態を示す図である。
【図５】車椅子での筆記用ボードの使用状態を示す模式図である。
【符号の説明】
１  筆記用ボード
２  ボード
３  ボードコーナー
４  表側
５  枠
６  枠コーナー
７  枠継目
８  袋体
９  袋体上端部
１０  緩衝材
１１  矢印
１２  矢印
１３  裏側
１４  把手
１５  補強板
１６  ビス孔
１７  矢印
１８  シール
１９  袋体表面
２０  矢印
２１  車椅子
２２  車椅子使用者
２３  膝
２４  マーカー
【図１】
2004167759.tif 000003
【図２】
2004167759.tif 000004
【図３】
2004167759.tif 000005
【図４】
2004167759.tif 000006
【図５】
2004167759.tif 000007